【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
無線ＬＡＮにおいてチャネル接近を要求する方法であって、
前記方法は、
２０ＭＨｚＲｅｑｕｅｓｔ  ｔｏ  Ｓｅｎｄ（ＲＴＳ）フレームを送信機によって生成することであって、前記２０ＭＨｚＲＴＳフレームは、第１の帯域幅を指示する第１の帯域幅情報を含む、ことと、
前記２０ＭＨｚＲＴＳフレームを前記送信機によって１回以上複製して、少なくとも１つの複製された２０ＭＨｚＲＴＳフレームを生成することであって、前記複製された２０ＭＨｚＲＴＳフレームの各々は、前記第１の帯域幅情報を含む、ことと、
前記２０ＭＨｚＲＴＳフレームと前記少なくとも１つの複製された２０ＭＨｚＲＴＳフレームとを、前記第１の帯域幅上で、前記送信機によって送信することと、
前記２０ＭＨｚＲＴＳフレームと前記少なくとも１つの複製された２０ＭＨｚＲＴＳフレームとのうちの少なくとも１つへの応答として、２０ＭＨｚＣｌｅａｒ  ｔｏ  Ｓｅｎｄ（ＣＴＳ）フレームおよび少なくとも１つの複製された２０ＭＨｚＣＴＳフレームを、第２の帯域幅上で、前記送信機によって受信することであって、前記２０ＭＨｚＣＴＳフレームおよび前記少なくとも１つの複製された２０ＭＨｚＣＴＳフレームの各々は、前記第２の帯域幅を指示する第２の帯域幅情報を含む、ことと
を含み、
前記第２の帯域幅は、２０×（ｍ＋１）ＭＨｚを指示し、ｍは、前記少なくとも１つの複製された２０ＭＨｚＣＴＳフレームの数であり、
前記２０ＭＨｚＣＴＳフレームおよび前記少なくとも１つの複製された２０ＭＨｚＣＴＳフレームの各々は、前記第２の帯域幅内のそれぞれの２０ＭＨｚチャネル上で受信される、方法。
【請求項２】
前記２０ＭＨｚＣＴＳフレームおよび前記少なくとも１つの複製された２０ＭＨｚＣＴＳフレームの各々は、第２のビットシーケンスに基づいて処理され、前記第２のビットシーケンスは、３個よりも多くのビットを有し、前記２０ＭＨｚＣＴＳフレームおよび前記少なくとも１つの複製された２０ＭＨｚＣＴＳフレームの生成特性を指示する、請求項１に記載の方法。
【請求項３】
前記第２のビットシーケンスの２つのビットは、前記第２の帯域幅を指示するために用いられる、請求項２に記載の方法。
【請求項４】
前記第１の帯域幅は、２０×（ｎ＋１）ＭＨｚを指示し、ｎは、前記少なくとも１つの複製された２０ＭＨｚＲＴＳフレームの正の数であり、
前記２０ＭＨｚＲＴＳフレームおよび前記少なくとも１つの複製された２０ＭＨｚＲＴＳフレームの各々は、前記第１の帯域幅内のそれぞれの２０ＭＨｚチャネル上で送信される、請求項１〜３のいずれか一項に記載の方法。
【請求項５】
前記２０ＭＨｚＲＴＳフレームおよび前記少なくとも１つの複製された２０ＭＨｚＲＴＳフレームの各々は、第１のビットシーケンスに基づいて処理され、前記第１のビットシーケンスは、３個よりも多くのビットを有し、前記２０ＭＨｚＲＴＳフレームおよび前記少なくとも１つの複製された２０ＭＨｚＲＴＳフレームの生成特性を指示する、請求項１〜４のいずれか一項に記載の方法。
【請求項６】
前記第１のビットシーケンスの２つのビットは、前記第１の帯域幅を指示するために用いられる、請求項５に記載の方法。
【請求項７】
前記第２の帯域幅は、前記第１の帯域幅以下である、請求項１〜６のいずれか一項に記載の方法。
【請求項８】
前記第１の帯域幅情報によって指示される前記第１の帯域幅が４０ＭＨｚであるとき、前記第２の帯域幅情報によって指示される前記第２の帯域幅は２０または４０ＭＨｚである、請求項１〜７のいずれか一項に記載の方法。
【請求項９】
前記第１の帯域幅情報によって指示される前記第１の帯域幅が８０ＭＨｚであるとき、前記第２の帯域幅情報によって指示される前記第２の帯域幅は２０、４０または８０ＭＨｚである、請求項１〜７のいずれか一項に記載の方法。
【請求項１０】
前記第１の帯域幅情報によって指示される前記第１の帯域幅が１６０ＭＨｚであるとき、前記第２の帯域幅情報によって指示される前記第２の帯域幅は２０、４０、８０または１６０ＭＨｚである、請求項１〜７のいずれか一項に記載の方法。
【請求項１１】
無線ＬＡＮにおいてチャネル接近を要求するように構成された装置であって、
前記装置は、
無線インターフェースユニットと、
前記無線インターフェースユニットに動作可能に結合された制御器と
を備え、
前記制御器は、
２０ＭＨｚＲｅｑｕｅｓｔ  ｔｏ  Ｓｅｎｄ（ＲＴＳ）フレームを生成することであって、前記２０ＭＨｚＲＴＳフレームは、第１の帯域幅を指示する第１の帯域幅情報を含む、ことと、
前記２０ＭＨｚＲＴＳフレームを１回以上複製して、少なくとも１つの複製された２０ＭＨｚＲＴＳフレームを生成することであって、前記複製された２０ＭＨｚＲＴＳフレームの各々は、前記第１の帯域幅情報を含む、ことと、
前記２０ＭＨｚＲＴＳフレームと前記少なくとも１つの複製された２０ＭＨｚＲＴＳフレームとを、前記第１の帯域幅上で、前記無線インターフェースユニットを介して送信することと、
前記２０ＭＨｚＲＴＳフレームと前記少なくとも１つの複製された２０ＭＨｚＲＴＳフレームとのうちの少なくとも１つへの応答として、２０ＭＨｚＣｌｅａｒ  ｔｏ  Ｓｅｎｄ（ＣＴＳ）フレームおよび少なくとも１つの複製された２０ＭＨｚＣＴＳフレームを、第２の帯域幅上で、前記無線インターフェースユニットを介して受信することであって、前記２０ＭＨｚＣＴＳフレームおよび前記少なくとも１つの複製された２０ＭＨｚＣＴＳフレームの各々は、前記第２の帯域幅を指示する第２の帯域幅情報を含む、ことと
を行うように構成されており、
前記第２の帯域幅は、２０×（ｍ＋１）ＭＨｚを指示し、ｍは、前記少なくとも１つの複製された２０ＭＨｚＣＴＳフレームの数であり、
前記２０ＭＨｚＣＴＳフレームおよび前記少なくとも１つの複製された２０ＭＨｚＣＴＳフレームの各々は、前記第２の帯域幅内のそれぞれの２０ＭＨｚチャネル上で受信される、装置。
【請求項１２】
前記２０ＭＨｚＣＴＳフレームおよび前記少なくとも１つの複製された２０ＭＨｚＣＴＳフレームの各々は、第２のビットシーケンスに基づいて処理され、前記第２のビットシーケンスは、３個よりも多くのビットを有し、前記２０ＭＨｚＣＴＳフレームおよび前記少なくとも１つの複製された２０ＭＨｚＣＴＳフレームの生成特性を指示する、請求項１１に記載の装置。
【請求項１３】
前記第２のビットシーケンスの２つのビットは、前記第２の帯域幅を指示するために用いられる、請求項１２に記載の装置。
【請求項１４】
前記第１の帯域幅は、２０×（ｎ＋１）ＭＨｚを指示し、ｎは、前記少なくとも１つの複製された２０ＭＨｚＲＴＳフレームの正の数であり、
前記２０ＭＨｚＲＴＳフレームおよび前記少なくとも１つの複製された２０ＭＨｚＲＴＳフレームの各々は、前記第１の帯域幅内のそれぞれの２０ＭＨｚチャネル上で送信される、請求項１１〜１３のいずれか一項に記載の装置。
【請求項１５】
前記２０ＭＨｚＲＴＳフレームおよび前記少なくとも１つの複製された２０ＭＨｚＲＴＳフレームの各々は、第１のビットシーケンスに基づいて処理され、前記第１のビットシーケンスは、３個よりも多くのビットを有し、前記２０ＭＨｚＲＴＳフレームおよび前記少なくとも１つの複製された２０ＭＨｚＲＴＳフレームの生成特性を指示する、請求項１１〜１４のいずれか一項に記載の装置。
【請求項１６】
前記第１のビットシーケンスの２つのビットは、前記第１の帯域幅を指示するために用いられる、請求項１５に記載の装置。